(57)【特許請求の範囲】
【請求項１】
上枠と下枠及び左右の縦枠とからなる枠体に、上框と下框及び左右の縦框とからなる框体にパネル体を納めてなる障子を納めたサッシにおいて、
前記框体の内周面は前記枠体の室内側内周縁と四周に渡って略同一平面内または見付方向外側に位置し、前記框体には内周面の室内側寄りに前記パネル体を納めるパネル挿入溝が形成されると共に、該パネル挿入溝の室外面より見込方向室外側に張り出して露出する張出部が形成されることを特徴とするサッシ。
【請求項２】
前記框体の張出部は四周に渡って内周面が室外側に向かって広がる傾斜面に形成されてなることを特徴とする請求項１記載のサッシ。
【請求項３】
前記框体の室外側面には該框体の室外側面と前記枠体の室外側面を覆う化粧縁が設けられることを特徴とする請求項２記載のサッシ。
【請求項４】
前記上枠の室外端部と前記化粧縁の間に隙間部が設けられていることを特徴とする請求項３記載のサッシ。
【請求項５】
前記化粧縁の内周面は前記框体の傾斜面と略連続する傾斜面に形成されてなることを特徴とする請求項３または４記載のサッシ。
【発明の詳細な説明】
【技術分野】
【０００１】
本発明は建物開口部に設けられるサッシに関し、特に室内側からの視界を広くすることのできるサッシに関する。
【背景技術】
【０００２】
従来から建物開口部に設けられるサッシとして、建物開口部に固定される枠体に対しガラス等のパネルを納めた框体を納めたものが知られている。このように枠体とパネルが納められる框体を別体としたサッシには、嵌め殺し窓の他、開き窓や辷り出し窓、突き出し窓などがある。ここで、枠体に直接パネルを納める構造とすることもできる嵌め殺し窓において框体を枠体と別に設けた構造とすることで、他の種類の窓と部品を共用化できると共に、取付作業も容易にすることができる。このようなサッシとしては例えば特許文献１に挙げるようなものがある。
【特許文献１】特開２００４−５２３１３号公報
【発明の開示】
【発明が解決しようとする課題】
【０００３】
しかし、枠体にパネルを納めた框体を納める構造とした場合には、枠体の内周面よりも見付方向内側にまで框体の室内面が延びるため、パネル開口面積が小さく視界を狭めていた。特に窓のサイズが小さい場合には、框体の室内面による開口面積の縮小の割合が大きく、視界の妨げになると共にサッシ全体の意匠性も損ねていた。
【０００４】
本発明は、上記課題を解決すべくなされたものであり、室内から室外を見たときのパネル開口面積が広く意匠性にも優れたサッシを提供することを目的とする。
【課題を解決するための手段】
【０００５】
上記課題を解決するため、本発明に係るサッシは、上枠と下枠及び左右の縦枠とからなる枠体に、上框と下框及び左右の縦框とからなる框体にパネル体を納めてなる障子を納めたサッシにおいて、
前記框体の内周面は前記枠体の室内側内周縁と四周に渡って略同一平面内または見付方向外側に位置し、前記框体には内周面の室内側寄りに前記パネル体を納めるパネル挿入溝が形成されると共に、該パネル挿入溝の室外面より見込方向室外側に張り出して露出する張出部が形成されることを特徴として構成されている。
【０００６】
また、本発明に係るサッシは、前記框体の張出部は四周に渡って内周面が室外側に向かって広がる傾斜面に形成されてなることを特徴として構成されている。
【０００７】
さらに、本発明に係るサッシは、前記框体の室外側面には該框体の室外側面と前記枠体の室外側面を覆う化粧縁が設けられることを特徴として構成されている。
【０００８】
さらにまた、本発明に係るサッシは、前記上枠の室外端部と前記化粧縁の間に隙間部が設けられていることを特徴として構成されている。
【０００９】
そして、本発明に係るサッシは、前記化粧縁の内周面は前記框体の傾斜面と略連続する傾斜面に形成されてなることを特徴として構成されている。
【発明の効果】
【００１０】
本発明に係るサッシによれば、框体の内周面は枠体の室内側内周縁と四周に渡って略同一平面内または見付方向外側に位置することにより、室内側から室外側を見たときの見栄えがよく、すっきりとした意匠性の高いサッシとすることができ、またパネルの開口面積を広くすることができるので、視界の広いサッシとすることができる。また、框体には内周面の室内側寄りにパネル体を納めるパネル挿入溝が形成されると共に、パネル挿入溝より室外側に張り出した張出部が形成されることにより、奥行き感があってより意匠性の高いサッシとすることができる。
【００１１】
また、本発明に係るサッシによれば、框体の張出部は四周に渡って内周面が室外側に向かって広がる傾斜面に形成されてなることにより、室外側先端部の見付面が小さくなり、すっきりとしたスリム感のあるサッシとすることができる。また、室内側から室外側を見たときに奥行き感のある意匠性の高いサッシとすることができる。
【００１２】
さらに、本発明に係るサッシによれば、框体の室外側面には框体の室外側面と枠体の室外側面を覆う化粧縁が設けられることにより、外観意匠に優れると共に、意匠の異なる化粧縁を取付けることもできるので、意匠の自由度を高めることができる。
【００１３】
さらにまた、本発明に係るサッシによれば、上枠の室外端部と化粧縁の間に隙間部が設けられていることにより、上枠上面から流れる雨水が障子の框材やパネルの外面を伝って流れにくいようにすることができ、框材やパネルの汚れを抑えることができる。
【００１４】
そして、本発明に係るサッシによれば、化粧縁の内周面は框体の傾斜面と略連続する傾斜面に形成されてなることにより、障子の框体と化粧縁との一体感を持たせることができると共に、サッシの室外側先端部の見付面をより小さくできて、よりスリム感のあるサッシとすることができる。
【発明を実施するための最良の形態】
【００１５】
本発明の実施形態について、図面に沿って詳細に説明する。図１は本実施形態におけるサッシの縦断面図、図２はサッシの横断面図である。これら各図に示すように、本実施形態におけるサッシは、建物開口部に取付けられた枠体１内に、ガラス等のパネル体３を框体２に納めてなる障子４を納めて固定した嵌め殺し窓として構成されている。また、このサッシは縦横の寸法が比較的小さい窓であって、主に採光のためや建物の意匠性を向上させるために設けられるものである。
【００１６】
枠体１は、上枠１０と下枠１１及び左右の縦枠１２、１２を方形状に枠組みして構成される。枠体１を構成する各枠はアルミの押出部材により形成されると共に、この金属部分の室内側露出面にはそれぞれ樹脂部材が取付けられる。すなわち上枠１０の室内側面には樹脂上枠１０ａが、下枠１１の室内側面には樹脂下枠１１ａが、縦枠１２の室内側面には樹脂縦枠１２ａが、それぞれ取付けられる。
【００１７】
また、枠体１の外周面の中間位置には四周に渡ってフィン部１３が形成されている。フィン部１３は建物躯体に当接し、ビス止めされる。これにより枠体１は建物躯体に対して固定される。さらに、枠体１の室内側端部には見付方向内側に向かって突出する突出部１４が四周に渡って形成されている。突出部１４の先端室外側には四周に渡って水密材１４ａが取付けられており、これが框体２の室内側面に当接することで、障子４と枠体１の間の水密性を確保している。
【００１８】
框体２は、上框２０と下框２１及び左右の縦框２２、２２を方形状に框組みして構成される。框体２を構成する各框はアルミの押出部材により形成される。縦框２２は障子４の上下方向高さに相当する長さに形成され、上框２０と下框２１は両端面がそれぞれ左右の縦框２２、２２の内周側面に当接されネジ止めされることにより框体２が框組みされる。
【００１９】
框体２は内周面の室内側寄りに四周に渡ってパネル挿入溝２３を備えている。パネル挿入溝２３には、グレチャン２４を介してパネル体３が挿入され保持される。また、框体２にはパネル挿入溝２３から室外側に張り出すように延出された張出部２６が形成される。張出部２６の内周面２６ａは、室外側に向かって広がる傾斜面として形成されている。
【００２０】
框体２の内周面は張出部２６も含めて、枠体１の室内側内周縁である突出部１４の先端と四周に渡って略同一平面内または見付方向外側に位置している。このため、サッシを室内側から見た場合に、枠体１の開口面積をそのままパネル開口面積とすることができるので、視界を広くすることができる。特に本実施形態のサッシは、縦横の寸法が小さい窓であるので、框体２に視界を遮られないことによる視界の広がりが相対的に大きく、その効果は大きい。また、框体２が室内側から直接見えないので、すっきりした意匠性の高いサッシとすることができる。
【００２１】
さらに上述のように、パネル挿入溝２３を室内側寄りに設けてパネル体３が室内側に偏るように配置し、パネル体３より室外側の張出部２６について内周面２６ａを傾斜面により構成したことにより、室内側からサッシを見た場合に奥行き感を持たせることができて、意匠性がさらに高いサッシとすることができる。また、これによってサッシの室外側先端部における見付面を狭くすることができ、室外側から見た際にすっきりとしたスリム感のあるサッシとすることができる。
【００２２】
框体２の室外面には、框体２の室外面及び枠体１の室外面を覆う化粧縁２５が四周に渡って設けられる。化粧縁２５は、上框２０に対しては室外側から係止固定される。また、下框２１に対しては固定金具２７を介して下枠１１及び下框２１とネジ３５により固定される。化粧縁２５の内周面２５ａは、框体２の張出部２６の内周面２６ａと略連続状となるような傾斜面として形成されている。これにより化粧縁２５と框体２に一体感を持たせることができ、またサッシの室外先端部における見付面をより狭くできて、スリム感をより向上させることができる。
【００２３】
図３には、サッシを室外側から見た正面図を示している。この図に示すように、サッシを室外側から見ると、化粧縁２５の室外面と框体２の張出部２６の内周面２６ａが見えている。ここで、化粧縁２５は、上下左右の部材から構成され、各部材はそれぞれ両端部を斜め４５度に切断されていて、それらが互いに付き合わされて連結されている。框体２が上述のように上框２０と下框２１の両端部が縦框２２の内周面に付き合わされて連結されているのに対し、室外側に露出する化粧縁２５が斜め４５度で互いに付き合わされて連結されているので、室外側から見たときにより意匠性の高いサッシとすることができる。なお、化粧縁２５の連結部分には、略Ｌ字状の連結部品（図示しない）が設けられており、化粧縁２５の各部材を固定するようにしている。
【００２４】
枠体１と框体２は、上述のように枠体１の突出部１４に設けられた水密材１４ａと框体２の室内側面が当接し、框体２の室外側部において枠体１とネジ止め固定される。上枠１０と上框２０の固定は、断面略Ｌ字状の固定ブラケット３０を介してなされる。具体的には、固定ブラケット３０の上面を上枠１０の内周面に当接させ内周側からネジ止めし、框体２を枠体１の内部に納めた後、固定ブラケット３０の室外面と上框２０の室外面を当接させ室外側からネジ３６によりネジ止めする。下枠１１と下框２１の固定は、化粧枠２５を固定するための固定金具２７を介して下側からネジ３５によりネジ止めされてなされる。
【００２５】
また、上枠１０と化粧縁２５の間と、縦枠１２と縦框２２の間には、それぞれ水密材３１が設けられて、枠体１と框体２の間の水密性を確保している。さらに、上枠１０と化粧縁２５は、その間に上方開放状の隙間部３２が形成されるように配置されており、上枠１０上面から流れる水を隙間部３２を介して化粧縁２５内に導き、さらに化粧縁２５の左右両端部から排水できるように構成している。これによって上枠１０上面からの雨水が框体２の各框材やパネル面に伝わることを防ぎ、これらの汚れを抑えることができる。
【００２６】
以上、本発明の実施形態について説明したが、本発明はこの実施形態には限られず、その技術的思想の範囲内において様々に適用されうるものである。例えば、本実施形態は本発明を嵌め殺し窓に適用したものを示したが、これに限られず開き窓や辷り出し窓、突き出し窓などにも本発明を適用することができる。また、本実施形態では枠体１の室内側露出面に樹脂部材を設けて断熱性及び意匠性の向上を図っているが、金属材のみからなる枠体１であってもよい。
【図面の簡単な説明】
【００２７】
【図１】本実施形態におけるサッシの縦断面図である。
【図２】本実施形態におけるサッシの横断面図である。
【図３】本実施形態におけるサッシの正面図である。
【符号の説明】
【００２８】
１    枠体
２    框体
３    パネル体
４    障子
１０    上枠
１１    下枠
１２    縦枠
１３    フィン部
１４    突出部
２０    上框
２１    下框
２２    縦框
２３    パネル挿入溝
２５    化粧縁
２６    張出部
３２    隙間部
【図１】
0004791166.tif 000002
【図２】
0004791166.tif 000003
【図３】
0004791166.tif 000004